(57)【特許請求の範囲】
【請求項１】
ろ材と、
前記ろ材を収納するための所定の幅を有する底板と左右の側板と天板から構成され、それぞれの両端部にピース接続孔が形成されている枠と、
前記底板枠に前記左右の側板枠を垂直方向に接続するコーナーピースであって、前記底板枠の両端部のピース接続孔に挿入固定される水平方向の第１の爪部と、前記左右の側板枠の側端部のピース接続孔に挿入固定される垂直方向の第２の爪部とを有する２つの第１コーナーピースと、
前記左右の側板枠の上端部のピース接続孔に挿入固定される垂直方向の第３の爪部を有し、ピース本体部に開口部が形成されると共に、その外側側壁に係止部が形成された２つの接続ピースと、
前記２つの接続ピースに前記天板枠を水平方向に接続するコーナーピースであって、前記天板枠の両端部のピース接続孔に挿入固定される水平方向の第４の爪部と、前記左右の側板枠に挿入固定された前記２つの接続ピースの前記開口部に挿入され前記係止部に係止される突起部を持つ垂直方向の第５の爪部を有する２つの第２コーナーピースと
を有することを特徴とするろ材交換型エアーフィルタ。
【請求項２】
前記接続ピースの前記外側側壁には前記第２のコーナーピースの前記突起部を押圧する係止開放押圧部が設けられていることを特徴とする請求項１記載のろ材交換型エアーフィルタ。
【請求項３】
ろ材と、
前記ろ材を収納するための所定の幅を有する底板と左右の側板と天板から構成され、それぞれの両端部にピース接続孔が形成されている枠と、
前記底板枠に前記左右の側板枠を垂直方向に接続するコーナーピースであって、前記底板枠の両端部のピース接続孔に挿入固定される水平方向の第１の爪部と、前記左右の側板枠の側端部のピース接続孔に挿入固定される垂直方向の第２の爪部とを有する２つの第１コーナーピースと、
前記左右の側板枠の上端部のピース接続孔に挿入固定される垂直方向の第３の爪部を有し、ピース本体部に嵌合部が形成されると共に、その外側側壁の内側に係止部が形成された２つの接続ピースと、
前記２つの接続ピースに前記天板枠を水平方向に接続するコーナーピースであって、前記天板枠の両端部のピース接続孔に挿入固定される水平方向の第４の爪部と、前記左右の側板枠に挿入固定された前記２つの接続ピースの前記嵌合部に挿入され前記係止部に係止される突起部を持つ垂直方向の第５の爪部を有する２つの第２コーナーピースと
を有することを特徴とするろ材交換型エアーフィルタ。
【請求項４】
前記第２のコーナーピースの前記突起部を有する前記第５の爪部を押圧することにより前記接続ピースの前記係止部から開放されることを特徴とする請求項３記載のろ材交換型エアーフィルタ。
【請求項５】
前記接続ピースは、可撓性を有する材料であることを特徴とする請求項１乃至請求項４のいずれかに記載のろ材交換型エアーフィルタ。
【請求項６】
前記接続ピースは、可撓性の樹脂製であることを特徴とする請求項１乃至請求項４のいずれかに記載のろ材交換型エアーフィルタ。
【発明の詳細な説明】
【技術分野】
【０００１】
本発明は、一般ビル空調の空気中微粒子を捕集するために使用されるろ材交換型エアーフィルタに関するものである。
【背景技術】
【０００２】
近年、一般ビル空調のエアーフィルタは、廃棄物を減らして環境負荷を軽減する社会的ニーズに対応できるものとして、使用済みのろ材のみを交換できるようにしてろ材交換型エアーフィルタの需要が増加してきている。
【０００３】
従来、ろ材交換型エアーフィルタは、ジグザグに折り畳んだろ材を前後面が通気用に開口するように金属製の枠で四周を囲い、天板を取り外し可能な構成とし、交換時には天板を取り外して内部のエアーフィルタろ材を取り外すものが知られている（例えば、特許文献１参照）。
【特許文献１】特開２００４−４１８７９号公報
【発明の開示】
【発明が解決しようとする課題】
【０００４】
しかしながら、特許文献１に記載される従来のエアーフィルタでは、天板部が取り外し可能な形状としているものの、底板と両側板はそれぞれ隅部でリベットやビスなどを用いて固定する構造である。また、天板についても舌部材を天板端部に固定するために、リベットやビスなどが用いられる構成である。従って、部品点数が多く、コスト高となるばかりか、組み立て作業に時間がかかるという問題があった。
本発明は、上記問題点を解決するためになされたもので、リベットやビスなどを一切使用せず、はめ込み式によって組み立てることのできるろ材交換型エアーフィルタを提供することを目的とする。
【課題を解決するための手段】
【０００５】
上記目的を達成するために、本発明のろ材交換型エアーフィルタは、ろ材と、前記ろ材を収納するための所定の幅を有する底板と左右の側板と天板から構成され、それぞれの両端部にピース接続孔が形成されている枠と、前記底板枠に前記左右の側板枠を垂直方向に接続するコーナーピースであって、前記底板枠の両端部のピース接続孔に挿入固定される水平方向の第一の爪部と、前記左右の側板枠の側端部のピース接続孔に挿入固定される垂直方向の第２の爪部とを有する２つの第１コーナーピースと、前記左右の側板枠の上端部のピース接続孔に挿入固定される垂直方向の第３の爪部を有し、ピース本体部に開口部が形成されると共に、その外側側壁に係止部が形成された２つの接続ピースと、前記２つの接続ピースに前記天板枠を水平方向に接続するコーナーピースであって、前記天板枠の両端部のピース接続孔に挿入固定される水平方向の第４の爪部と、前記左右の側板枠に挿入固定された前記２つの接続ピースの前記開口部に挿入され前記係止部に係止される突起部を持つ垂直方向の第５の爪部を有する２つの第２コーナーピースとを有することを特徴とする。
また、ろ材と、前記ろ材を収納するための所定の幅を有する底板と左右の側板と天板から構成され、それぞれの両端部にピース接続孔が形成されている枠と、前記底板枠に前記左右の側板枠を垂直方向に接続するコーナーピースであって、前記底板枠の両端部のピース接続孔に挿入固定される水平方向の第一の爪部と、前記左右の側板枠の側端部のピース接続孔に挿入固定される垂直方向の第２の爪部とを有する２つの第１コーナーピースと、前記左右の側板枠の上端部のピース接続孔に挿入固定される垂直方向の第３の爪部を有し、ピース本体部に嵌合部が形成されると共に、その外側側壁の内側に係止部が形成された２つの接続ピースと、前記２つの接続ピースに前記天板枠を水平方向に接続するコーナーピースであって、前記天板枠の両端部のピース接続孔に挿入固定される水平方向の第４の爪部と、前記左右の側板枠に挿入固定された前記２つの接続ピースの前記嵌合部に挿入され前記係止部に係止される突起部を持つ垂直方向の第５の爪部を有する２つの第２コーナーピースとを有することを特徴とする。
【発明の効果】
【０００６】
本発明のろ材交換型エアーフィルタによれば、ろ材交換型エアーフィルタを組み立てる場合、リベットやビス等を一切使用することなく、はめ込み式によって組み立てるため、組み立て作業時間が短縮することができる。また、部品点数も少なくなり、コストが軽減できる。
【発明を実施するための最良の形態】
【０００７】
以下、図面を参照して本発明のろ材交換型エアーフィルタについて説明する。
【実施例１】
【０００８】
図１は、本発明の第１の実施形態に係わるろ材交換型エアーフィルタの形状を示す図である。ろ材交換型エアーフィルタは、所定の幅を有する四辺形の形状を有し、ろ紙をジグザグ状に折り畳んだろ材１０と、ろ材１０を収納するための所定の幅を有する底板金属製枠１１、左右の側板金属製枠１２、１３、天板金属製枠１４と、ＡＢＳ（アクリロニトリル・ブタジエン・スチレン）製のコーナーピース１５ａ、１５ｂ、接続ピース１６ａ、１６ｂ、コーナーピース１７ａ、１７ｂによって構成されている。コーナーピース１５ａ、１５ｂ、接続ピース１６ａ、１６ｂ、およびコーナーピース１７ａ、１７ｂは、可撓性のある部材であるＡＢＳ製によって構成されているので、外部からの変形力に対して柔軟に変形して組み立てが容易となる。
【０００９】
以下、各部の構成について説明する。
まず、ろ材１０について説明する。
ろ材交換型エアーフィルタに収納されるろ材１０は、ジグザグ状に折り畳まれて形成されており、その全体形状を維持するために山部と山部の相互を一定間隔にして樹脂１０ａによって接着している。樹脂１０ａは、水平方向に複数箇所で接着されている。そして、ろ材１０の四周面には、ろ材交換型エアーフィルタに収納された状態で気密性を維持するため、発砲ポリエチレンシート５が貼付けされている。
【００１０】
次に、ろ材１０を収納する各金属製枠について説明する。
実施形態では、各金属製枠１１、１２、１３、１４の材質をアルミニウムとし、その各金属製枠の両端部には、後述するピース部品の爪部が挿入されるピース接続孔１２０が形成されている。そして、底板金属製枠１１と左右の側板金属製枠１２、１３とはコーナーピース１５ａ、１５ｂによって接続固定され組み立てられる。また、左右の側板金属製枠１２、１３の上端部には接続ピース１６ａ、１６ｂが挿入固定される。さらに、天板金属製枠１４の両端部には、コーナーピース１７ａと１７ｂが挿入固定される。そして、天板金属製枠１４に挿入固定された状態で、コーナーピース１７ａの垂直方向の爪部が側板金属製枠１２の接続ピース１６ａに形成される開口部１６２に挿入されて組み立てられる。同様に、コーナーピース１７ｂの垂直方向の爪部が側板金属製枠１３の接続ピース１６ｂに形成される開口部１６２に挿入されて組み立てられる。そして、各金属製枠１１、１２、１３、１４には、ろ材１０を収納するためのツバ１３０が形成されている。
【００１１】
次に、上述したコーナーピース１５ａ、１５ｂ、接続ピース１６ａ、１６ｂ、コーナーピース１７ａ、１７ｂの形状と各金属製枠との接続固定について説明する。
【００１２】
まず、コーナーピース１５ａ、１５ｂについて図２を用いて説明する。
コーナーピース１５ａ、１５ｂは、ピース本体１５０の水平方向に第１の爪部１５１が、また、垂直方向に第２の爪部１５２が形成されている。水平方向の第１の爪部１５１は、例えば５個の爪によって構成され、その中央部の爪１５１ａの先端には外側に突起部１５１ｂが形成されている。
【００１３】
ピース本体１５０に形成された水平方向の第１の爪部１５１が挿入される底板金属製枠１１の両端部には、図３に示すように、それに対応してピース接続孔１２０が形成されており、さらにそのピース接続孔１２０内には突起部１５１ｂと係合する孔１１０が形成されている。
【００１４】
また、ピース本体１５０に形成された垂直方向の第２の爪部１５２は、例えば、５個の爪によって構成され、その中央部の爪１５２ａの先端には外側に突起部１５２ｂが形成されている。この垂直方向の前記第２の爪部１５２が挿入される左右の側板金属製枠１２、１３の対応する側端部には、図３に示すように、それに対応してピース接続孔１２０が形成されおり、さらにそのピース接続孔１２０内には突起部１５２ｂと係合する孔１１０が形成されている。
【００１５】
次に、接続ピース１６ａ、１６ｂについて図４を用いて説明する。
接続ピース１６ａ、１６ｂは、ピース本体１６０の垂直方向に第３の爪部１６１が形成されている。第３の爪部１６１は、例えば５個の爪によって構成され、その中央部の爪１６１ａの先端には突起部１６１ｂが形成されている。また、ピース本体１６０には、開口部１６２が設けられている。さらに、ピース本体１６０の外側側壁には係止部１６３と係止開放押圧部１６４が設けられている。さらに、ピース本体１６０には、側板金属製枠１２、１３に形成されるツバ１３０と同じ幅の係止ツバ１６５が設けられており、側板金属製枠１２、１３と係合する。
【００１６】
ピース本体１６０に形成された第３の爪部１６１が挿入される側板金属製枠１２、１３の対応する上端部には、図３に示すように、それに対応してピース接続孔１２０が形成されており、さらにそのピース接続孔１２０には前記爪１６１ｂと係合する孔１１０が形成されている。
【００１７】
次に、コーナーピース１７ａ、１７ｂについて図６を用いて説明する。
コーナーピース１７ａ、１７ｂは、ピース本体１７０の垂直方向に第５の爪部１７１が、また水平方向に第４の爪部１７２が形成されている。第５の爪部１７１は、例えば３個の爪によって構成され、その中央部の爪１７１ａの先端には突起部１７１ｂが形成されている。第４の爪部１７２は、例えば５個の爪によって構成され、その中央部の爪１７２ａの先端には突起１７２ｂが形成されている。
【００１８】
ピース本体１７０に形成された第４の爪部１７２が挿入される天板金属製枠１４の両端部には、それに対応してピース接続孔１２０が形成されており、さらにピース接続孔１２０には突起部１７２ｂと係合する孔１１０が形成されている。
【００１９】
天板金属製枠１４の両端部に挿入固定されたコーナーピース１７ａ、１７ｂは、第５の爪部１７１を下向きにして、左右の側板金属製枠１２、１３の上端部のピース接続孔１２０に挿入固定された接続ピース１６ａ、１６ｂの開口部１６２に挿入される。そして、第５の爪部１７１の突起部１７１ｂが、接続ピース１６ａ、１６ｂのピース本体１６０の外側側壁に形成された係止部１６３に設けられた突起部１６３ａに嵌合して係止される。
【００２０】
ここで、図５を参照して、接続ピース１６ａ、１６ｂの突起部に嵌合したコーナーピース１７ａ、１７ｂの爪１７１ａの解除方法について説明する。
【００２１】
ろ紙１０の交換等で天板金属製枠１４を取り外す場合、接続ピース１６ａ、１６ｂの係止開放押圧部１６４を外側から内側に向けて押圧することによって、係止開放押圧部１６４に設けられた突起部１６４ａが前記爪１７１ａを押圧し突起１６３ａと突起１７１ｂが嵌合している係止状態を解除され、コーナーピース１７ａ、１７ｂが天板金属製枠１４に接続された状態で天板金属製枠１４を側板金属製枠１２、１３から引く抜くことが可能となる。
【実施例２】
【００２２】
次に、接続ピース１６ａ、１６ｂについて、図７を用いて第２の実施形態を説明する。
【００２３】
この第２の実施形態の接続ピース１６ａ、１６ｂは、ピース本体２６０の垂直方向に第６の爪部２６１（前記第３の爪部に相当する）が形成されている。第６の爪部２６１は、例えば５個の爪によって構成され、その中央部の爪２６１ａの先端には突起部２６１ｂが形成されている。また、ピース本体２６０には、嵌合部２６２が設けられている。さらに、ピース本体２６０の嵌合部２６２には係止部２６３が設けられている。さらにまた、ピース本体２６０には、側板金属製枠１２、１３に形成されるツバ１３０と同じ幅のツバが形成される係止ツバ２６４が設けられており、側板金属製枠１２、１３と係合する。
【００２４】
ピース本体２６０に形成された第６の爪部２６１が挿入される側板金属製枠１２、１３の対応する上端部には、それに対応してピース接続孔１２０が形成されており、さらにそのピース接続孔１２０には爪２６１ｂと係合する孔１１０が形成されている。
【００２５】
次に、ピース本体２６０で構成される接続ピース１６ａ、１６ｂと嵌合して係止されるコーナーピース１７ａ、１７ｂの第２の実施形態を図８を参照して説明する。
【００２６】
コーナーピース１７ａ、１７ｂは、ピース本体２７０の水平方向に第７の爪部２７１（前記第４の爪部に相当する）が形成されている。前記第７の爪部２７１は、例えば５個の爪によって構成され、その中央部の爪２７１ａの先端には突起部２７１ｂが形成されている。
【００２７】
ピース本体２７０に形成された第７の爪部２７１が挿入される天板金属製枠１４の両端部には、それに対応してピース接続孔１２０が形成されており、さらにピース接続孔１２０には突起部２７１ｂと係合する孔１１０が形成されている。また、ピース本体２７０の垂直方向には第８の爪部２７２（前記第５の爪部に相当する）が形成されている。第８の爪部２７２は、例えば３個の爪によって構成され、その中央部の爪２７２ａの先端には突起２７２ｂが形成されている。
【００２８】
天板金属製枠１４の両端部に挿入固定されたコーナーピース１７ａ、１７ｂは、第８の爪部２７２を下向きにして、左右の側板金属製枠１２、１３の上端部のピース接続孔１２０に挿入固定された第２の実施形態の接続ピース１６ａ、１６ｂの嵌合部２６２に挿入される。この時、ピース本体２７０の第８の爪部２７２の内側に形成された開放部２７２ｃ、２７２ｄに嵌合部２６２が挿入される。これにより、第８の爪部２７２の３つの爪によって、嵌合部２６２を外側と内側から挟み込む。
【００２９】
そして、第８の爪部２７２の突起部２７２ｂが、接続ピース１６ａ、１６ｂのピース本体２６０の外側側壁に形成された係止孔２６３と嵌合して係止される。なお、係止の解除は、第８の爪部２７２の上部押圧部２７２ｅを押圧することにより、突起部２７２ｂが係止部２６３との嵌合が解除されることにより行われる。
【００３０】
なお、実施形態ではろ材１０を収納する底板金属製枠１１、左右の側板金属製枠１２、１３、天板金属製枠１４の材質は、金属製の他に樹脂製のフィルタ枠であってもよい。
【００３１】
次に、図９を参照して、ろ材交換型エアーフィルタの組み立てについて説明する。
図９は、ろ材交換型エアーフィルタの組み立て工程を示したフローチャートである。
【００３２】
まず、底板金属製枠１１の両端部のピース接続孔１２０にコーナーピース１５ａと１５ｂが水平方向の第１の爪部１５１を挿入して固定する（ステップＳ１）。このとき、底板金属製枠１１の両端部のピース接続孔１２０内にコーナーピース１５ａ、１５ｂの第１の爪部１５１の突起部１５１ｂが係合することによって第１の組み立て工程が完了する。
【００３３】
次に、底板金属製枠１１の両端部のコーナーピース１５ａ、１５ｂが水平方向に取り付けられた状態で、コーナーピース１５ａ、１５ｂの垂直方向の第２の爪部１５２に向かって左右の側板金属製枠１２、１３を上から挿入して固定する（ステップＳ２）。このとき、左右の側板金属製枠１２、１３の側端部のピース接続孔１２０内に設けられた孔１１０に、コーナーピース１５ａ、１５ｂの第２の爪部の突起部１５２ｂが係合することによって第２の組み立て工程が完了する。
【００３４】
次に、左右の側板金属製枠１２、１３の上端部に設けられたピース接続孔１２０に接続ピース１６ａ、１６ｂの垂直方向の第３の爪部１６１を上から挿入して固定する（ステップＳ３）。そして、左右の側板金属製枠１２、１３の上端部のピース接続孔１２０内に設けられた孔１１０に、接続ピース１６ａ、１６ｂの第３の爪部１６１の突起部１６１ｂが係合することによって第３の組み立て工程が完成する。
【００３５】
次に、ジグザグ状に折り畳まれたろ材１０を、接続ピース１６ａと１６ｂおよび左右の側板金属製枠１２、１３に沿って上方から挿入する（ステップＳ４）。このとき、接続ピース１６ａと１６ｂおよび左右の側板金属製枠１２、１３に形成されるツバ１３０によって、ろ材１０がガイドされ底板金属製枠１１まで収納される。
【００３６】
次に、天板金属製枠１４の両端部のピース接続孔１２０にコーナーピース１７ａ、１７ｂの水平方向の第４の爪部１７２を挿入して固定する（ステップＳ５）。このとき、天板金属製枠１４の両端部に設けられたピース接続孔１２０内に設けられた孔１１０に、コーナーピース１７ａ、１７ｂの第４の爪部１７２の突起部１７２ｂが係合することによって、天板組み立て工程が完了する。尚、この天板組み立て工程は、どの工程で行ってもよい。
【００３７】
そして、ジグザグ状に折り畳まれたろ材１０が挿入された金属製枠１１、１２、１３に天板金属製枠１４を上方から組み入れ、組み立てを完了する（ステップ６）。このとき、ステップ３の組み立て工程で左右の側板金属製枠１２、１３の上端部に取り付けた接続ピース１６ａと１６ｂの開口部１６２にコーナーピース１７ａ、１７ｂの第５の爪部１７１の突起部１７１ｂが接続ピース１６ａと１６ｂのピース本体１６０の外側側壁に形成された係止部１６３に設けられた突起１６３ａに嵌合して係止される内側に設けられた係止部１６３と嵌合して係止される。
【００３８】
次に、ろ材交換型エアーフィルタのろ材１０を交換するために、ろ材１０を取り出すときは、前記天板金属製枠１４のコーナーピース１７ａ、１７ｂの係止開放押圧部１６４を外側から内側に向けて押圧することによって、係止開放押圧部１６４に設けられた突起部１６４ａが前記爪１７４ａを押圧し突起部１６３ａと突起１７１ｂが嵌合して係止状態を解除され、天板金属製枠１４を上部に持ち上げて取り出す。そして、金属製枠１１、１２、１３内のジグザグに折り畳まれたろ材１０を取り出して、新しいろ材と交換する。
【００３９】
さらに、再び天板金属製枠１４のコーナーピース１７ａ、１７ｂを左右の側板金属製枠１２、１３の上端部に取り付けた接続ピース１６ａと１６ｂの開口部１６２に挿入固定すればよい。尚、天板金属製枠１４の取り外しは、接続ピース１６ａ、１６ｂの係止開放押圧部１６４を外側から内側に向けて押圧することによって、係止開放押圧部１６４に設けられた突起部１６４ａが前記爪１７１ａを押圧し突起部１６３ａと突起１７１ｂが嵌合している係止状態を解除され、片側から天板金属製枠１４を上部に持ち上げて取り外してもよい。
【００４０】
上述した実施形態のろ材交換型エアーフィルタによれば、天板金属製枠１４を取り外すことにより、ジグザグ状に折り畳まれたろ材１０を容易に離脱することができる。そして、４つのコーナーピース１５ａ、１５ｂ、１７ａ、１７ｂと接続ピース１６ａ、１６ｂを用いて嵌め込み式によってろ材交換型エアーフィルタを組み立てることができ、リベットやビス等を一切使用することがない。従って、ドライバー等の工具を用いることがなく、組み立て作業時間が短縮することができる。また、部品点数も少なく、コストが軽減できる。
【００４１】
また、このコーナーピース１５ａ、１５ｂ、１７ａ、１７ｂと接続ピース１６ａ、１６ｂは、可撓性のある部材ＡＢＳ製によって構成されているので、外部からの応力に対して柔軟に変形して組み立てが容易となる。特に、コーナーピース１７ａ、１７ｂの第５の爪部１７１は、可撓性であることから両側から挟む構造となり、天板金属製枠１４の取り外しが容易に行うことができる。尚、コーナーピース１５ａ、１５ｂ、１７ａ、１７ｂと接続ピース１６ａ、１６ｂは、可撓性のある部材ＡＢＳ製に限られず、ポリカーボネート、ポリプロピレン、ポリエチレン、ポリスチレン、ポリアミド樹脂等がある。
【図面の簡単な説明】
【００４２】
【図１】本発明のろ材交換型エアーフィルタの実施形態の形状を示す図。
【図２】本発明のろ材交換型エアーフィルタに使用されるコーナーピース１５ａ、１５ｂの実施形態を示す図。
【図３】実施形態のフィルタ枠の斜視図を示す図。
【図４】本発明のろ材交換型エアーフィルタに使用される接続ピース１６ａ、１６ｂの第１の実施形態を示す図。
【図５】第１の実施形態の接続ピース１６ａ、１６ｂにコーナーピース１７ａ、１７ｂを挿入した形状を示す図。
【図６】本発明のろ材交換型エアーフィルタに使用されるコーナーピース１７ａ、１７ｂの第１の実施形態を示す図。
【図７】本発明のろ材交換型エアーフィルタに使用される接続ピース１６ａ、１６ｂの第２の実施形態を示す図。
【図８】本発明のろ材交換型エアーフィルタに使用されるコーナーピース１７ａ、１７ｂの第２の実施形態を示す図。
【図９】本発明に係わるろ材交換型エアーフィルタの組み立て工程を示すフローチャート。
【符号の説明】
【００４３】
５ 発砲ポリエチレンシート
１０ ろ材
１０ａ 樹脂
１１ 底板金属製枠
１２、１３ 側板金属製枠
１４ 天板金属製枠
１５ａ、１５ｂ、１７ａ、１７ｂ コーナーピース
１６ａ、１６ｂ 接続ピース
１１０ 孔
１２０ ピース接続孔
１５０、１６０、１７０、２６０、２７０ ピース本体
１５１ 第１の爪
１５２ 第２の爪
１６１ 第３の爪
１６３ 係止部
１５１ｂ、１５２ｂ、１６１ｂ、１６３ａ、１６４ａ、１７１ｂ、１７２ｂ、２６１ｂ、２７１ｂ、２７２ｂ 突起部
１６４ 係止開放押圧部
１７１ 第５の爪
１７２ 第４の爪
２６１ 第６の爪
２７１ 第７の爪
２７２ 第８の爪
【図１】
0004664188.tif 000002
【図２】
0004664188.tif 000003
【図３】
0004664188.tif 000004
【図４】
0004664188.tif 000005
【図５】
0004664188.tif 000006
【図６】
0004664188.tif 000007
【図７】
0004664188.tif 000008
【図８】
0004664188.tif 000009
【図９】
0004664188.tif 000010